(57)【要約】      （修正有）【課題】ＣＣＴＶカメラのレンズ鏡筒に簡単に取り付け可能な光路上で抜き差し自在な光学フィルタを備えた絞り装置を提供する。【解決手段】光路を形成する開口部１０ａを有した絞り基板１０と、絞り基板の一方の板面に配置され該板面に沿ってスライドすることで光路を絞り調節する一対の絞り羽根１２、１３と、光路を絞り調節するために絞り羽根１２、１３を駆動する絞り駆動装置２０と、波長に応じた透過特性を有する光学フィルタ（赤外カットフィルタ）１５と、光学フィルタを光路上に挿入したり光路上から取り除いたりするフィルタ駆動装置３０とを備える。光学フィルタを薄膜状に形成して２枚の絞り羽根１２、１３の間に配置し、絞り羽根に沿ってスライド自在とする。光学フィルタ１５は支軸１０ｃに回動自在に支持させ、絞り駆動装置２０とフィルタ駆動装置３０を共に光路に対して同じ側に配置する。【選択図】図１
0003143124.tif 000002
【実用新案登録請求の範囲】
【請求項１】
光路を形成する開口部を有した絞り基板と、この絞り基板の一方の板面に配置され該板面に沿ってスライドすることで前記光路を絞り調節する絞り羽根と、前記光路を絞り調節するために前記絞り羽根を駆動する絞り駆動手段と、波長に応じた透過特性を有する光学フィルタと、この光学フィルタを前記光路上に挿入したり光路上から取り除いたりするフィルタ駆動手段とを備え、前記光学フィルタを薄膜状に形成して前記絞り基板の一方の板面側に配置し、前記絞り羽根に沿ってスライド自在に設けたことを特徴とする絞り装置。
【請求項２】
請求の範囲第１項に記載の絞り装置であって、
前記絞り羽根が互いに積層した状態で２枚設けられており、それら２枚の絞り羽根の間に、前記薄膜状に形成した光学フィルタを配置したことを特徴とする絞り装置。
【請求項３】
請求の範囲第１項または第２項に記載の絞り装置であって、
前記光学フィルタが、赤外領域の光を遮断する赤外カットフィルタであり、厚さが０．２５ｍｍ以下の薄膜状に形成されていることを特徴とする絞り装置。
【請求項４】
請求の範囲第１項〜第３項のいずれかに記載の絞り装置であって、
前記光学フィルタが、前記絞り基板の端部に設けられた軸に回動自在に支持され、その軸を中心に回動させられることで、前記光路上に挿入されたり光路上から取り除かれたりするものであることを特徴とする絞り装置。
【請求項５】
請求の範囲第１項〜第４項のいずれかに記載の絞り装置であって、
前記絞り駆動手段とフィルタ駆動手段とが共に、前記絞り基板上において前記光路に対して同じ側に配置されていることを特徴とする絞り装置。
【請求項６】
請求の範囲第１項〜第５項のいずれかに記載の絞り装置であって、
前記フィルタ駆動手段は、前記光学フィルタが光路上の第１の位置と光路上から外れた第２の位置との中間位置よりも第１の位置側にあるとき光学フィルタを第１の位置に磁力によって保持し、光学フィルタが前記中間位置よりも第２の位置側にあるとき光学フィルタを第２の位置に磁力によって保持するフィルタ保持手段を備えていることを特徴とする絞り装置。
【請求項７】
請求の範囲第６項に記載の絞り装置であって、
前記フィルタ保持手段が、前記光学フィルタを駆動するモータのロータに設けられた永久磁石と、前記光学フィルタを前記第１の位置と第２の位置の中間位置に操作したとき前記永久磁石の互いに隣接するＮ極とＳ極から等距離の位置に配置され、且つ、前記Ｎ極またはＳ極との間に吸引力を発生しそれによりロータに回転付勢力を与える磁性片と、からなることを特徴とする絞り装置。
【請求項８】
請求の範囲第１項〜第７項のいずれかに記載の絞り装置であって、
前記絞り羽根の絞り開口を形成する透孔部に、前記光学フィルタとは別のＮＤフィルタが設けられており、このＮＤフィルタが、赤外領域の透過率が可視領域の透過率とほぼ同等の分光透過率特性を有するものであることを特徴とする絞り装置。
【考案の詳細な説明】
【技術分野】
【０００１】
本考案は、赤外カットフィルタなどの光学フィルタが光路上に対して抜き差し自在に搭載された光学的な絞り装置に係り、特に、ＣＣＴＶ（監視カメラシステム）用レンズ等の撮影装置に組み付けられる絞り装置に関する。
【背景技術】
【０００２】
昼夜監視カメラシステムとして、カメラボデイのカラー撮像素子（ＣＣＤ又はＣＭＯＳ等）上に、昼間は可視光領域の光を結像させてカラー撮影を行い、夜間は可視光領域の光に加えて近赤外領域の光を結像させてモノクロ撮影を行い、ＴＶモニタ上に監視像を映し出すシステムが知られている（例えば、特許文献１参照）。
【０００３】
このシステムは、昼間の撮影時には、撮像素子の前方（カメラボデイ内またはレンズ鏡筒内）に赤外カットフィルタを位置させて、可視光領域の光のみに基づいてカラー撮影を行い、また夜間の撮影時には、同フィルタを撮像素子の前方から取り除き、赤外波長域及び可視波長域の光に基づいてモノクロ撮影を行う。
【０００４】
第４図（ａ）、（ｂ）は、赤外カットフィルタをカメラ本体内に備える従来型のＣＣＴＶカメラの構成を示す図である。
【０００５】
このＣＣＴＶカメラは、カメラ本体１００Ａと、その前方に取り付けられたレンズ鏡筒２００Ａとからなる。カメラ本体１００Ａの内部には、撮像素子１３０が設けられると共に、赤外カットフィルタ１１０が設けられている。また、レンズ鏡筒２００Ａの内部には、絞り２１０が設けられている。
【０００６】
カメラ本体１００Ａ内の赤外カットフィルタ１１０は、カメラ本体１００Ａ内に設けられたモータ等のフィルタ駆動用アクチュエータ２３０により駆動され、撮像素子１３０の前方の光路Ｌ上に挿入されたり光路Ｌ上から取り除かれたりする。第４図（ａ）は赤外カットフィルタ１３０が光路Ｌ上に挿入された状態、（ｂ）は赤外カットフィルタ１３０が光路Ｌ上から取り除かれた状態を示している。一方、レンズ鏡筒２００Ａ内の絞り２１０は、レンズ鏡筒２００Ａ内に設けられたガルバノメータ等の絞り駆動用アクチュエータ２２０により駆動され、その絞り開口の大きさが調節される。
【０００７】
第４図の（ａ）の状態では、赤外カットフィルタ１１０が光路Ｌ上に挿入されているので、レンズ鏡筒２００Ａに入射した光は、絞り２１０を介してカメラ本体１００に入射し、赤外カットフィルタ１１０を透過して撮像素子１３０に達し、被写体像として投影される。一方、（ｂ）の状態では、赤外カットフィルタ１１０が光路Ｌ上から取り除かれているので、レンズ鏡筒２００に入射した光は、絞り２１０を介してカメラ本体１００に入射し、赤外カットフィルタ１１０を介することなく、撮像素子１３０に直接達し、被写体像として投影される。
【０００８】
また、第５図（ａ）、（ｂ）は、赤外カットフィルタをレンズ鏡筒内に備える別の従来型のＣＣＴＶカメラの構成を示す図である。
【０００９】
このＣＣＴＶカメラは、カメラ本体１００Ｂと、その前方に取り付けられたレンズ鏡筒２００Ｂとからなり、赤外カットフィルタ１１０及びフィルタ駆動用アクチュエータ２３０は、第４図の従来例と違って、カメラ本体１００Ｂの内部ではなく、レンズ鏡筒２００Ａの内部に設けられている。撮像素子１３０と絞り２１０については、第４図の例と同じ
である。
【００１０】
また、このＣＣＴＶカメラでは、赤外カットフィルタ１１０に隣接させて、ダミーのフィルタ１１１が設けられている。このダミーのフィルタ１１１は、赤外カットフィルタ１１０とほぼ同じ厚さの透光性平行平面板よりなるもので、赤外カットフィルタ１１０が光路Ｌ上にある時とない時とでの光路長の差を補償し、光路長の差による撮像素子１３０に対するピントずれを防止するためのものである。
【００１１】
従って、赤外カットフィルタ１１０とダミーのフィルタ１１１は、図示略の同じホルダに取り付けられており、ホルダをフィルタ駆動用アクチュエータ２３０で駆動することにより、赤外カットフィルタ１１０またはダミーのフィルタ１１１のいずれかが光路Ｌ上に配置されるようになっている。
【００１２】
また、従来の赤外カットフィルタは比較的厚みのあるもの（０．５ｍｍ以上）であるため、特許文献１に記載のＣＣＴＶカメラでは、絞り基板（図示略）の一方の板面側に絞り羽根を配置した場合、絞り基板の他方の板面側に赤外カットフィルタを配置することにより、絞り部分の構成の複雑化を避けながら、赤外カットフィルタを一体に備えた絞り装置を構成している。
【特許文献１】特開２００２−１８９２３８号公報
【考案の開示】
【考案が解決しようとする課題】
【００１３】
ところで、第４図の従来のＣＣＴＶカメラでは、赤外カットフィルタ１１０をカメラ本体１００Ａの内部に配置しているが、最近のＣＣＴＶカメラはカメラ本体１００Ａがだんだん小型化してきているため、赤外カットフィルタ１１０及びその駆動機構（アクチュエータ２３０）をカメラ本体１００Ａ内に設けることが困難になってきた。
【００１４】
そこで、第５図のようにレンズ鏡筒２００Ｂ内に絞り２３０と共に赤外カットフィルタ１１０を設けることが有望となってきた。特に、特許文献１に記載されているように、絞り装置に赤外カットフィルタとその駆動機構を一体に組み込むことが行われるようになってきた。
【００１５】
しかし、特許文献１に記載されている、従来の赤外カットフィルタを一体に組み込んだ構成の絞り装置では、赤外カットフィルタとして比較的厚みのあるものを使用している関係から、絞り羽根や赤外カットフィルタの作動性などを考慮した場合、赤外カットフィルタと絞り羽根を、絞り基板の表裏面にそれぞれ配置する構成を採らざるを得ず、そのために、絞り装置のコンパクト化に限界が生じていた。また、ピント補正を考慮した場合、赤外カットフィルタ以外に光路長を揃えるためのダミーのフィルタも使用しなくてはならず、そのこともコンパクト化する上での障害となっていた。特に、厚みのある赤外カットフィルタに加えてダミーのフィルタを使用した場合は、フィルタの重さも増すので、フィルタ駆動系も大型化してしまい、レンズ鏡筒を小型・軽量化するという要望に応えるのが難しくなってきていた。
【００１６】
本考案は、上記事情を考慮し、光路上に対して抜き差し自在な光学フィルタを一体に備えながら小型・軽量化を図ることができ、それにより、例えばＣＣＴＶカメラのレンズ鏡筒に簡単に取り付けることのできる絞り装置を提供することを目的とする。  
【課題を解決するための手段】
【００１７】
上述の課題を解決するための手段は以下の通りである。
（１）光路を形成する開口部を有した絞り基板と、この絞り基板の一方の板面に配置され
該板面に沿ってスライドすることで前記光路を絞り調節する絞り羽根と、前記光路を絞り調節するために前記絞り羽根を駆動する絞り駆動手段と、波長に応じた透過特性を有する光学フィルタと、この光学フィルタを前記光路上に挿入したり光路上から取り除いたりするフィルタ駆動手段とを備え、前記光学フィルタを薄膜状に形成して前記絞り基板の一方の板面側に配置し、前記絞り羽根に沿ってスライド自在に設けたことを特徴とする絞り装置。
（２）（１）項に記載の絞り装置であって、
前記絞り羽根が互いに積層した状態で２枚設けられており、それら２枚の絞り羽根の間に、前記薄膜状に形成した光学フィルタを配置したことを特徴とする絞り装置。
（３）（１）項または（２）項に記載の絞り装置であって、
前記光学フィルタが、赤外領域の光を遮断する赤外カットフィルタであり、厚さが０．２５ｍｍ以下の薄膜状に形成されていることを特徴とする絞り装置。
（４）（１）項〜（３）項のいずれかに記載の絞り装置であって、
前記光学フィルタが、前記絞り基板の端部に設けられた軸に回動自在に支持され、その軸を中心に回動させられることで、前記光路上に挿入されたり光路上から取り除かれたりするものであることを特徴とする絞り装置。
（５）（１）項〜（４）項のいずれかに記載の絞り装置であって、
前記絞り駆動手段とフィルタ駆動手段とが共に、前記絞り基板上において前記光路に対して同じ側に配置されていることを特徴とする絞り装置。
（６）（１）項〜（５）項のいずれかに記載の絞り装置であって、
前記フィルタ駆動手段は、前記光学フィルタが光路上の第１の位置と光路上から外れた第２の位置との中間位置よりも第１の位置側にあるとき光学フィルタを第１の位置に磁力によって保持し、光学フィルタが前記中間位置よりも第２の位置側にあるとき光学フィルタを第２の位置に磁力によって保持するフィルタ保持手段を備えていることを特徴とする絞り装置。
（７）（６）項に記載の絞り装置であって、
前記フィルタ保持手段が、前記光学フィルタを駆動するモータのロータに設けられた永久磁石と、前記光学フィルタを前記第１の位置と第２の位置の中間位置に操作したとき前記永久磁石の互いに隣接するＮ極とＳ極から等距離の位置に配置され、且つ、前記Ｎ極またはＳ極との間に吸引力を発生しそれによりロータに回転付勢力を与える磁性片と、からなることを特徴とする絞り装置。
（８）（１）項〜（７）項のいずれかに記載の絞り装置であって、
前記絞り羽根の絞り開口を形成する透孔部に、前記光学フィルタとは別のＮＤフィルタが設けられており、このＮＤフィルタが、赤外領域の透過率が可視領域の透過率とほぼ同等の分光透過率特性を有するものであることを特徴とする絞り装置。
【考案の効果】
【００１８】
上述の（１）項の手段にかかる絞り装置では、光学フィルタを薄膜状に形成して、絞り基板の一方の板面側に絞り羽根と一緒に配置し、絞り羽根に沿ってスライド自在に設けているので、絞り基板の表裏面の両方にそれぞれ絞り羽根と光学フィルタを配置した従来例と比べて、構成を単純化することができる。また、光学フィルタが薄膜状であるため、絞り羽根間の隙間や絞り羽根と絞り基板の隙間などの狭いスペースに光学フィルタを配置することができる。しかも、絞り羽根の作動に支障を与えることなく、自身のスライド性能も確保しながら、光学フィルタを無理なく絞り装置の中に組み込むことができる。
【００１９】
従って、光学フィルタを光路上に対して抜き差し自在に一体に組み込みながらも、絞り装置のコンパクト化を図ることができる。また、光学フィルタを薄膜状に形成したことにより、光学フィルタが光路上にある時とない時とでの光路長の差をほとんどなくすことができ、ピントずれ防止のためのダミーのフィルタを不要にすることができる。その結果、光学フィルタを組み込む上での重量の増加やスペースの増加を極力排除することができ、
レンズ鏡筒等に組み込む際の組み付け性の向上が図れると共に、レンズ鏡筒等の軽量・小型化にも貢献することもできる。
【００２０】
上述の（２）項の手段にかかる絞り装置では、２枚の絞り羽根の隙間に光学フィルタを配置しているので、光学フィルタを配置するための特別なスペースが不要であり、コンパクト化が図れる。これは、光学フィルタを薄膜状に形成したために可能となることである。
【００２１】
上述の（３）項の手段にかかる絞り装置では、光学フィルタとして、厚さが０．２５ｍｍ以下の薄膜状のものを使用したので、光路に対する光学フィルタの有り無しによる光路長の差をほとんど無くすことができる。従って、ピントずれを考慮しての光学設計が必要でなくなり、ダミーのフィルタが不要となって、コンパクト化が可能となる。また、ダミーのフィルタが不要であり、光学フィルタ自体も薄膜状で軽量化されるので、フィルタ駆動手段の駆動力を小さくでき、フィルタ駆動手段の小型化が図れる。また、光学フィルタが、可視光領域の光を透過し、赤外（近赤外）領域の光を遮断する赤外カットフィルタであるから、ＣＣＴＶカメラ用の絞り装置として好適であり、夜間の撮影時は、光学フィルタを光路上から取り除くことで、赤外領域の光を透過させて撮影することができ、昼間の撮影時は、光学フィルタを光路上に挿入することで、赤外領域の光をカットして撮影することができる。
【００２２】
前記光学フィルタを絞り羽根に沿ってスライドさせる方式は、直線移動式でも回動式でもよいが、上述の（４）項の手段にかかる絞り装置では、絞り基板の端部に設けた軸を中心とした回動式にしている。こうすることにより、光学フィルタをホルダなどに取り付けずに直接回転スライドさせることができ、光学フィルタの駆動系を省スペース型の単純な構造とすることができる。また、回動式（回転スライド式）としたことにより、絞り羽根間の小さな隙間において無理なく光学フィルタを駆動させることができるようになる。
【００２３】
上述の（５）項の手段にかかる絞り装置では、比較的に容積の大きな部品である絞り駆動手段とフィルタ駆動手段とを、光路に対して同じ側に設けている。つまり、絞り基板の厚み方向に大きめの寸法を持つ部品（絞り駆動手段及びフィルタ駆動手段）を、光路を挟んだ両側にそれぞれ配置するのではなく、絞り基板の片側にまとめて配置しているので、それと反対側の部分を薄くすることができる。従って、絞り装置をレンズ鏡筒に組み付ける場合に、どちらかの駆動手段が邪魔になるようなことなく、その薄く保った部分を先にレンズ鏡筒に横から差し込みながら、絞り装置をレンズ鏡筒に無理なく組み付けることができ、レンズ鏡筒等への取り付けが簡単にできるようになる。
【００２４】
上述の（６）項の手段にかかる絞り装置では、光路上に対し抜き差しするために光学フィルタを駆動するとき以外は、磁力によって光学フィルタの位置を、第１の位置または第２の位置のいずれかに確実に保持することができる。従って、光学フィルタの抜き差し動作を光学フィルタに伝達した時点で、フィルタ駆動手段への通電を止めることができ、フィルタ駆動手段の電力消費を低減することができる。
【００２５】
上述の（７）項の手段にかかる絞り装置では、光学フィルタを駆動するモータへの通電を停止した際、そのときのロータの位置に応じて発生する永久磁石と磁性片との間の吸引力によって、光学フィルタが、第１の位置または第２の位置のいずれかに自動的に位置決めされる。即ち、中間位置よりも第１の位置側に光学フィルタを移動した状態でモータへの通電を停止すると、光学フィルタは、永久磁石と磁性片間に働く磁力によって確実に第１の位置に移動して保持され、中間位置よりも第２の位置側に光学フィルタを移動した状態でモータへの通電を停止すると、光学フィルタは、永久磁石と磁性片間に働く磁力によって第２の位置に移動して保持される。この状態は、モータへの通電の停止によりそのまま保持されるので、モータの無駄な電力消費をカットすることができ、バッテリの寿命を延ばせる。
【００２６】
上述の（８）項の手段にかかる絞り装置は、ＮＤフィルタによって、例えばＣＣＴＶカメラに適用した場合の夜間撮影時の赤外光の透過量を可視領域の光と同じ程度に減少させることができる。このため、赤外光が過剰に撮影されるのを防ぐことができる。
【００２７】
即ち、ＣＣＴＶカメラに搭載することを前提とした場合、この種の従来の絞り装置においては、赤外カットフィルタを挿入しない夜間モノクロ撮影時における光量の制御範囲を広げるために、絞り羽根に絞り開口上に位置するＮＤフィルタを貼り付けることが一般的に行われている。しかし、通常のＮＤフィルタは、赤外光に対しては透過率が上がった状態、いわゆる抜けた状態となりがちである。このため、モノクロ撮影の際の赤外光を可視光と同じように均一に抑えることができず、可視光に比べて赤外光の透過量が多くなり、赤外光の強い被写体部分が明るくなり、見にくい撮像画像となる。この点、第８の考案の絞り装置は、ＮＤフィルタによって赤外光の透過量を可視領域の光と同程度に減少させるようにしている。従って、赤外光の強い被写体部分が明るくなり過ぎるようなことがなく、見やすい撮像画像を得ることができる。
【考案を実施するための最良の形態】
【００２８】
以下、本考案の実施形態を図面に基づいて説明する。
【００２９】
第１図は実施形態の絞り装置１の構成を示す分解斜視図である。
この絞り装置１は、樹脂成形品よりなる長方形板状の絞り基板１０と、この絞り基板１０の上面（一方の板面上）に互いに重ね合わせた状態でスライド自在に組み付けられる一対の絞り羽根１２、１３と、これら２枚の絞り羽根１２、１３の間に回転スライド可能に配置される薄膜状の光学フィルタ１５と、絞り基板１０の上面に絞り羽根１２、１３及び光学フィルタ１５を組み付けた上で、絞り基板１０上に絞り羽根１２、１３を覆うように被せられる羽根カバー１４と、絞り基板１０の下面側に組み付けられる絞り駆動装置２０及びフィルタ駆動装置３０と、からなる。
【００３０】
絞り基板１０及び羽根カバー１４には、光路（図中縦の中心軸線を光軸とした光の通路）を形成するための開口部１０ａ、１４ａが形成され、絞り羽根１２、１３には、絞り開口を形成するための切欠状または孔状の透孔部１２ｅ、１３ｅが設けられている。そして、絞り基板１０上で絞り羽根１２、１３を矢印ｆ１、ｆ２方向に直線スライドさせることにより、前記の光路を絞り調節することができるようになっている。絞り駆動装置２０は、図示略の駆動レバーに設けた駆動ピン２１ａ、２１ｂを介して絞り羽根１２、１３をスライドさせるもので、モータを中心に構成されている。
【００３１】
光学フィルタ１５は、波長に応じた透過特性を有するもので、ここでは赤外線領域（近赤外線領域を含む）の光を遮断する赤外カットフィルタが使用されている。フィルタ駆動装置３０は、駆動レバー３１を介して光学フィルタ１５を回転スライドさせることにより、光学フィルタ１５を光路上に挿入したり光路上から取り除いたりするもので、モータを中心に構成されている。
【００３２】
なお、この光学フィルタ１５は、０，２５ｍｍ以下の厚みの薄膜状に形成されることで、２枚の絞り羽根１２、１３の僅かな隙間に挿入されており、絞り羽根１２、１３に沿ってスライドできるように設けられている。このように２枚の絞り羽根１２、１３の間に挟まれることにより、光学フィルタ１５は、絞り羽根１２、１３の表面を案内面として滑らかにスライドすることができ、薄膜状でありながら安定した抜き差し動作が可能となっている。
【００３３】
また、絞り羽根１２、１３の絞り開口を形成する透孔部１２ｅ、１３ｅには、赤外カットフィルタよりなる光学フィルタ１５とは別のＮＤフィルタ１２ｆ、１３ｆが貼り付けられている。これらＮＤフィルタ１２ｆ、１３ｆは、赤外領域の光の透過率が可視領域の光の透過率とほぼ同等の分光透過率特性を有するように作られている。
【００３４】
絞り基板１０の上面の周縁部の近傍には、絞り羽根１２、１３と係合する先端フック付きの４つのガイドピン１１ａ、１１ｂ、１１ｃ、１１ｄが複数設けられている。また、絞り羽根１２、１３の側縁部の近傍には、各側縁部と平行に長溝１２ａ、１２ｂ、１２ｃ、１３ａ、１３ｂ、１３ｃが設けられている。そして、これら長溝１２ａ、１２ｂ、１２ｃ、１３ａ、１３ｂ、１３ｃをガイドピン１１ａ、１１ｂ、１１ｃ、１１ｄに嵌めることで、絞り羽根１２、１３が絞り基板１０の上面に矢印ｆ１、ｆ２方向に直線スライド自在に保持されている。なお、ガイドピン１１ａ、１１ｂ、１１ｃ、１１ｄの先端フック部分が、絞り羽根１２、１３の上方への抜け防止を果たす。なお、第１図において絞り基板１０上に設けられている符号１６で示すものは、レンズ鏡筒などへこの絞り装置１を取り付け固定するための取付ブラケットである（第３図を用いて後述）。
【００３５】
絞り羽根１２、１３を駆動するための要素としては、まず、各絞り羽根１２、１３の長手方向の端部に、それぞれ絞り羽根１２、１３のスライド方向と直交する横溝１２ｄ、１３ｄが設けられている。一方、絞り基板１０の下面側に取り付けられた絞り駆動装置２０には、図示しない駆動レバーが設けられている。この駆動レバーは、両端に絞り基板１０の上面側に突き出た駆動ピン２１ａ、２１ｂを有するもので、その中心部が絞り駆動装置２０のモータ軸（図示略）に結合されている。各駆動ピン２１ａ、２１ｂには、それぞれ絞り羽根１２、１３の長手方向の端部に設けた横溝１２ｄ、１３ｄが係合しており、これにより、絞り駆動装置２０のモータを回転駆動すると、駆動ピン２１ａ、２１ｂの回動により２枚の絞り羽根１２、１３が直線スライドして、光路の絞り調節が行われるようになっている。
【００３６】
このように直線スライドする２枚の絞り羽根１２、１３の間に配置された光学フィルタ１５は、光路を遮断する部分が、絞り羽根１２、１３の透孔部１２ｅ、１３ｅよりもやや大きめの略円形に形成され、その一端に外方に延出するクランクレバー部１５ａを有する一体成形品である。クランクレバー部１５ａの曲がり部には透孔１５ｂが設けられ、クランクレバー部１５ａの先端側には長孔１５ｃが設けられている。
【００３７】
絞り基板１０の一方の側縁部には、フィルタ駆動装置３０を取り付けるためのブラケット１０ｂが一体に突設されており、そのブラケット１０ｂの下面側に、フィルタ駆動装置３０の主要素であるモータ（特に符号を付さず）が取り付けられている。前記ブラケット１０ａの近傍には、光学フィルタ１５を支持するための支軸１０ｃが突設され、その支軸１０ｃの近傍に、フィルタ駆動装置３０の駆動レバー３１の先端に設けた駆動ピン３１ａが突出している。
【００３８】
光学フィルタ１５は、クランクレバー部１５ａの曲がり部に設けた透孔１５ｂを前記支軸１０ｃに嵌めることで、この支軸１０ｃを中心に絞り羽根１２、１３の面に沿って回動可能に支持されている。また、クランクレバー部１５ａの先端側に設けた長孔１５ｃに、フィルタ駆動装置３０の駆動ピン３１ａが係合しており、これにより、フィルタ駆動装置３０を駆動することにより、駆動ピン３１ａの回動によって、光学フィルタ１５が支軸１０ｃを中心に回動し、それにより、光学フィルタ１５が光路上に挿入されたり光路上から取り除かれたりする（光学フィルタ１５が光路上に対して抜き差しされる）ようになっている。
【００３９】
この場合、絞り駆動装置２０とフィルタ駆動装置３０は、共に、絞り基板１０上において光路に対して同じ側に配置されている。つまり、絞り基板１０の長手方向の一端側にまとめて、絞り駆動装置２０とフィルタ駆動装置３０とが配置されている。従って、駆動装置２０、３０が設けられていない他端側は、寸法的に薄い板状体のままに保たれている。
【００４０】
次に、光学フィルタ１５を光路上に対して抜き差し駆動するフィルタ駆動装置３０の構成について詳しく述べる。
【００４１】
フィルタ駆動装置３０は、モータへの通電を停止しても、光学フィルタ１５を光路上の第１の位置（フィルタ使用位置）、または、光路上から外れた第２の位置（フィルタ不使用位置）のいずれかに位置決め保持するフィルタ保持機能（フィルタ保持手段）を備えている。
【００４２】
このフィルタ保持機能とは、光学フィルタ１５が光路上の第１の位置（フィルタ使用位置）と光路上から外れた第２の位置（フィルタ不使用位置）との中間位置よりも第１の位置側にあるとき、光学フィルタ１５を磁力によって第１の位置側に付勢することで結果的に第１の位置に保持し、また、光学フィルタ１５が前記中間位置よりも第２の位置側にあるとき、光学フィルタ１５を、磁力によって第２の位置側に付勢することで結果的に第２の位置に保持する機能である。
【００４３】
この光学フィルタ１５を第１の位置または第２の位置のいずれかに保持する機能（フィルタ保持機能＝フィルタ保持手段）は、本実施形態の場合、光学フィルタ１５を駆動するモータのロータに設けられた永久磁石と、この永久磁石のＮ極またはＳ極との間に吸引力を発生しそれによりロータに回転付勢力を与える磁性片とで達成（構成）されている。
【００４４】
その点について第２図を参照しながら詳しく説明する。
【００４５】
フィルタ駆動装置３０の主体をなすモータは、第２図（ａ）に示すように、ロータ軸３３を有するロータ３２と、ロータ３２を回転駆動するためにロータ３２の周囲に配置されたコイルボビン３５と、コイルボビン３５に巻回されたコイル３６と、コイルボビン３５に外嵌された円筒状のヨーク３０等から構成されている。ここでは、ヨーク、コイルボビン３５及びコイル３６でステータが構成されている。
【００４６】
ロータ３２は、直径方向両端がＮ極とＳ極に分極された円筒状の永久磁石で構成されている。ロータ軸３３は樹脂製であり、外部に突出した先端部に、前記光学フィルタ１５と係合する駆動レバー３１の基端部が結合されている。また、ステータのヨーク３０の内側とロータ３２の間には、軟磁性片３７が配置されている。この軟磁性片３７は、第２図（ａ）に示すように、光学フィルタ１５が前記第１の位置と第２の位置の中間位置にくるように駆動レバー３１を操作したとき、ロータ３２のＮ極とＳ極から略等距離となる位置に配置されており、ロータ３２のＮ極またはＳ極との間に吸引力を発生し、それにより、ロータ３２に回転付勢力を与える機能を果たしている。
【００４７】
第２図（ｂ）は、ロータ３２が矢印（イ）方向に振れた結果、光学フィルタ１５が第２の位置（光路上から外れた位置）に到達したときのロータ３２の回転位置を示している。このときは、ロータ３２のＮ極が軟磁性体３７に接近するので、Ｎ極と軟磁性体３７との間に大きな磁気吸引力が発生し、その磁気吸引力によって、モータへの通電を停止しても、ロータ３２つまりは光学フィルタ１５が第２の位置に保持される。
【００４８】
第２図（ｃ）は、ロータ３２が矢印（ロ）方向に振れた結果、光学フィルタ１５が第１の位置（光路上の位置）に到達したときのロータ３２の回転位置を示している。このとき
は、ロータ３２のＳ極が軟磁性体３７に接近するので、Ｓ極と軟磁性体３７との間に大きな磁気吸引力が発生し、その磁気吸引力によって、モータへの通電を停止しても、ロータ３２つまりは光学フィルタ１５が第１の位置に保持される。
【００４９】
従って、このように光学フィルタ１５を第１の位置または第２の位置のいずれかの位置に永久磁石の磁力によって保持することができ、その状態ではモータの電力が必要なくなるため、通電による発熱を無くすことができると共に、バッテリ電源の寿命を長くすることができる。特に、本実施形態の絞り装置１では、光学フィルタ１５の位置決めに使用する磁力（つまり付勢力）を、ロータの永久磁石を利用して得るので、軟磁性片３７を所定位置に配置するだけの簡単な構成とすることができる。
【００５０】
次に、この絞り装置１を昼夜監視ＣＣＴＶカメラに適用した場合を想定して、その作用を説明する。
【００５１】
この絞り装置１においては、絞り駆動装置２０を駆動制御することによって、絞り羽根１２、１３に係合する駆動ピン２１ａ、２１ｂを回動させ、その回動によって絞り羽根１２、１３を直線スライドさせて、光路の絞り調節を行うことができる。最大絞りに近い位置では、絞り羽根１２、１３の透孔部１２ｅ、１３ｅに取り付けたＮＤフィルタ１２ｆ、１３ｆが光路上に位置することになるので、ＮＤフィルタの作用が撮影光に現れる。
【００５２】
一方、この絞り装置１においては、フィルタ駆動装置３０を駆動することによって、駆動レバー３１が回動するので、その回動によって光学フィルタ１５を、支軸１０ｃを中心に回転スライドさせて、光路上に対して抜き差しすることができる。
【００５３】
この場合の光学フィルタ１５は赤外カットフィルタであるから、光路上に光学フィルタ１５を位置決めさせることにより、撮影光の赤外領域をカットすることができる。また、ＮＤフィルタ１２ｆ、１３ｆによって、夜間撮影時の赤外光の透過量を可視領域の光と同じ程度に減少させることができるため、赤外光が過剰に撮影されるのを防ぐことができ、その結果、赤外光の強い被写体部分が明るくなり過ぎるようなことがなくなり、見やすい撮像画像を得ることができる。
【００５４】
このような作用が得られる本絞り装置１においては、光学フィルタ１５を薄膜状に形成して、絞り基板１０の一方の板面（上面）側に絞り羽根１２、１３と一緒に配置し、絞り羽根１２、１３に沿ってスライド自在に設けているので、絞り装置１の構成を単純化することができる。
【００５５】
特に、２枚の絞り羽根１２、１３間の僅かな隙間に光学フィルタ１５を配置しているので、光学フィルタ１５のための余分なスペースが全く不要であり、絞り装置１の厚さ方向のコンパクト化が図れる。また、２枚の絞り羽根１２、１３を案内として、光学フィルタ１５をスライドさせることができることから、光学フィルタ１５の作動の円滑化を図ることもできる。
【００５６】
また、光学フィルタ１５を０．２５ｍｍ以下の薄膜状に形成したことにより、光学フィルタ１５の有り無しによる光路長の差をほとんど無くすことができ、ピントずれを考慮しての光学設計を不要にすることができる。つまり、ダミーのフィルタが不要となり、その駆動系も含めて小型・軽量化が達成できる。
【００５７】
従って、光学フィルタ１５を光路上に対して抜き差し自在に一体に組み込みながらも、絞り装置１全体のコンパクト化（特に薄型化）を図ることができ、レンズ鏡筒などに組み込みやすくなると共に、レンズ鏡筒等の軽量・小型化に貢献することができる。
【００５８】
また、光学フィルタ１５のスライド方式を、絞り羽根１２、１３のように直線スライド式にせず、回動式にしているので、光学フィルタ１５の駆動系を省スペース型の単純な構造とすることができ、絞り羽根１２、１３の駆動系との取り合いについて無理のない設計ができるようになる。
【００５９】
特に、本絞り装置１では、絞り駆動装置２０とフィルタ駆動装置３０とを、光路に対して同じ側に設けているので、絞り装置１を例えばＣＣＴＶカメラのレンズ鏡筒に組み付ける場合に、どちらかの駆動装置２０、３０が組み付けの邪魔になるようなことなく、絞り装置１をレンズ鏡筒に無理なく組み付けることができるようになる。
【００６０】
第３図は絞り装置１のレンズ鏡筒２に対する取付例を示している。
【００６１】
レンズ鏡筒２の周壁には側孔２ａがあいており、この側孔２ａに、光軸方向と直角な方向から絞り装置１を差し込むことができるようになっている。側孔２ａの一端には取付座２ｂが設けられており、取付座２ｂの前面にネジ孔２ｃが設けられている。一方、絞り装置１の絞り基板１０には、固定する際に使用するための取付ブラケット１６が設けられており、取付ブラケット１６にネジ通し用の切欠１６ａと、レンズ鏡筒２側の取付座２ｂに対する当て面１６ｂが設けられている。
【００６２】
この絞り装置１は、絞り駆動装置２０とフィルタ駆動装置３０の両方を、光路に対する片側にまとめて配置しているので、駆動装置２０、３０の有る側と反対側は、厚さの薄い板状のままに保たれている。従って、この絞り装置１をレンズ鏡筒２に組み付ける場合は、レンズ鏡筒２の側孔２ａに絞り装置１の薄い側を差し込んで、取付ブラケット１６の当て面１６ｂをレンズ鏡筒２側の取付座２ａの前面に当接させ、その状態で取付ブラケット１６の切欠１６ａを通してネジ１７を取付座２ａのネジ孔２ｂに締め込むことで、絞り装置１をレンズ鏡筒２に取り付けることができる。従って、レンズ鏡筒２に対する組み付けが簡単にでき、作業性が良い。
【００６３】
なお、上記実施形態においては、絞り基板１０の上面に、絞り羽根１２、１３等の脱落防止を目的として羽根カバー１４を取り付けているが、絞り羽根１２、１３は絞り基板１０側のガイドピン１１ａ〜１１ｄによって脱落止めされているので、必ずしも羽根カバー１４は取り付けなくてもよい。
【００６４】
また、上記実施形態においては、２枚の絞り羽根１２、１３によって絞りを調節する場合について述べたが、１枚の絞り羽根で絞りを調節する場合にも本考案は適用することができる。その場合は、例えば、光学フィルタ１５を１枚の絞り羽根と絞り基板の隙間に配置すればよい。
【産業上の利用可能性】
【００６５】
以上説明したように、本考案によれば、次の効果を得ることができる。
即ち、第１の考案によれば、光学フィルタを薄膜状に形成して、絞り基板の一方の板面側に絞り羽根と一緒に配置し、絞り羽根に沿ってスライド自在に設けているので、絞り装置の構成を単純化することができる。また、光学フィルタを絞り羽根間の隙間や絞り羽根と絞り基板の隙間などの狭いスペースに、絞り羽根の作動や自身の作動に支障を与えることなく配置することができる。従って、光学フィルタを光路上に対して抜き差し自在に一体に組み込みながらも、絞り装置のコンパクト化（特に薄型化）を図ることができる。また、光学フィルタを薄膜状に形成したことにより、ピントずれ防止のためのダミーフィルタを設ける必要もなくなる。その結果、重量の増加やスペースの増加を排することができて、レンズ鏡筒等に組み込む際の組み付け性の向上が図れ、レンズ鏡筒等の軽量・小型化
に貢献することができる。
【００６６】
第２の考案によれば、２枚の絞り羽根の隙間に光学フィルタを配置したので、光学フィルタを配置するための特別なスペースが不要であり、コンパクト化が図れる。また、２枚の絞り羽根を案内として光学フィルタをスライドさせることができるので、光学フィルタの作動の円滑化を図ることもできる。
【００６７】
第３の考案によれば、光学フィルタの厚さを０．２５ｍｍ以下にしたので、光学フィルタの有り無しによる光路長の差をほとんど無くすことができ、ピントずれを考慮しての光学設計を不要にすることができる。つまり、ダミーのフィルタが不要となり、その駆動系も含めて小型・軽量化が達成できる。また、光学フィルタが赤外カットフィルタであるから、昼夜兼用のＣＣＴＶカメラの絞り装置として好適である。
【００６８】
第４の考案によれば、光学フィルタのスライド方式を回動式にしたので、光学フィルタの駆動系を省スペース型の単純な構造とすることができる。また、回動式にしたことで、絞り羽根間の小さな隙間において無理なく光学フィルタを駆動させることができる。
【００６９】
第５の考案によれば、絞り駆動手段とフィルタ駆動手段とを光路に対して同じ側に設けているので、絞り装置をレンズ鏡筒に組み付ける場合に、どちらかの駆動手段が邪魔になるようなことなく、絞り装置をレンズ鏡筒に無理なく組み付けることができ、レンズ鏡筒等への取り付けが簡単にできるようになる。
【００７０】
第６の考案によれば、磁力によって光学フィルタの位置を第１の位置または第２の位置のいずれかに保持するようにしたので、フィルタ駆動手段の電力消費を低減することができる。
【００７１】
第７の考案によれば、その磁力を、フィルタ駆動手段を構成するモータのロータの永久磁石を利用して得るので、無駄の構成を極力省き低コストに構成できる。
【００７２】
第８の考案によれば、ＮＤフィルタによって、例えば、ＣＣＴＶカメラに適用した場合の夜間撮影時の赤外光の透過量を可視領域の光と同じ程度に減少させることができるため、赤外光が過剰に撮影されるのを防ぐことができる。従って、赤外光の強い被写体部分が明るくなり過ぎるようなことがなく、見やすい撮像画像を得ることができる。
【図面の簡単な説明】
【００７３】
【図１】本考案の実施形態の絞り装置の分解斜視図である。
【図２】同絞り装置のフィルタ駆動装置の構成を示す図で、（ａ）は光学フィルタが第１の位置（光路上の位置）と第２の位置（光路上から外れた位置）の中間位置にあるときの状態を示す図、（ｂ）は光学フィルタが第２の位置（光路上から外れた位置）にあるときの状態を示す図、（ｃ）は光学フィルタが第１の位置（光路上の位置）にあるときの状態を示す図である。
【図３】同絞り装置をレンズ鏡筒に横から組み付ける場合の説明に使用する斜視図である。
【図４】従来のＣＣＴＶカメラシステムにおける絞りと光学フィルタの関係を示す概略構成図で、（ａ）は光学フィルタを光路上に位置させた状態を示す図、（ｂ）は光学フィルタを光路上から取り外した状態を示す図である。
【図５】別の従来のＣＣＴＶカメラシステムにおける絞りと光学フィルタの関係を示す概略構成図で、（ａ）は光学フィルタを光路上に位置させた状態を示す図、（ｂ）は光学フィルタを光路上から取り外した状態を示す図である。
【符号の説明】
【００７４】
１    絞り装置
２    レンズ鏡筒
１０  絞り基板
１２，１３  絞り羽根
１２ｆ，１３ｆ  ＮＤフィルタ
１５  光学フィルタ
２０  絞り駆動装置（絞り駆動手段）
３０  フィルタ駆動装置（フィルタ駆動手段）
３２  ロータ（永久磁石）
３６  コイル（ステータ）
３７  軟磁性体
【図１】
0003143124.tif 000003
【図２】
0003143124.tif 000004
【図３】
0003143124.tif 000005
【図４】
0003143124.tif 000006
【図５】
0003143124.tif 000007